(57)【要約】【課題】公共の場に設けられているディスプレイは画面サイズが大きいことが多く、障害物が多い状況下ではユーザの視野が遮られやすい。そのため、障害物を避けて情報通信端末等によって手元で見ようとしても、受信した全画面をその小さい画面サイズに合わせて処理し、リアルタイムに視認し続けることは処理が複雑であり困難であった。【解決手段】予め、映像配信サーバでは、ディスプレイ表示用の画像データとは別に、ネットワークを介して情報通信端末宛に送信可能なように、画像データを分割した分割画像データを格納している。映像配信サーバから分割画像データを受信した情報通信端末は、エリア毎に対応するエリア別画像データを作成し、表示部に出力することで、ディスプレイに表示される映像の一部のみを表示可能となる。これにより、情報通信端末に負担を掛けることなく、ディスプレイに表示された画像データを表示部にて視認することが可能となる。【選択図】      図１
2009164994.tif 000002
【特許請求の範囲】
【請求項１】
ネットワークを介して情報通信端末とデータ通信可能な映像配信サーバと、
前記データを受信可能な前記情報通信端末とを含み、
前記映像配信サーバは、
２つ以上の異なる映像をそれぞれ所定のエリアに表示するディスプレイと、
前記ディスプレイに出力するためのデータである画像データを格納する第1のデータベースと、
前記画像データを、前記エリアに表示する画像毎に分割したデータである分割画像データを格納する第２のデータベースとを含み、
前記画像データを前記ディスプレイに出力すると共に、前記分割画像データを送信する映像配信システム。
【請求項２】
前記サーバが、前記エリアの解像度に応じて、前記画像データを分割し、対応するエリア毎にフラグを付けることによって、前記分割画像データを作成する請求項１に記載の映像配信システム。
【請求項３】
前記情報通信端末は、
前記分割画像データを表示可能な表示部と、
受信した前記分割画像データを、前記表示部に出力するデータバッファ部と、
前記データバッファ部を制御して、特定のエリアに対応する分割画像データのみを出力させる制御部とを有する請求項２に記載の映像配信システム。
【請求項４】
前記データバッファ部は、
受信した前記分割画像データを前記フラグに基づきエリア別画像データとするデータ分割部と、
前記エリア別画像データを、前記エリア毎に対応させて格納する複数のバッファ部と、
前記制御部の指示に応じて、前記バッファ部から選択した特定のバッファ部に対して、格納したエリア別画像データを、前記表示部に出力させるセレクタ部とを含む前記請求項３に記載の映像配信システム。
【請求項５】
前記ネットワークとは、近距離無線通信である請求項１ないし４に記載の映像配信システム。
【請求項６】
異なる映像を表示可能なエリアを２つ以上有するディスプレイに、第１のデータベースに格納した画像データを出力し、
前記画像データをエリア毎に分割した分割画像データを、第２のデータベースに格納し、
ネットワークを介して、前記分割画像データを情報通信端末に送信し、前記情報通信端末において、前記分割画像データを、対応するエリア毎に、表示部に出力する映像配信方法。  
【請求項７】
前記画像データの分割は、前記エリア毎に決定される解像度比に応じてなされる請求項６に記載の映像配信方法。
【請求項８】
前記第２のデータベースに格納された前記分割画像データは、対応するエリアを示すフラグ情報が付加されていることを特徴とする請求項６ないし７に記載の映像配信方法。
【請求項９】
異なる映像を表示可能なエリアを２つ以上有するディスプレイと、
前記ディスプレイに出力する画像データを格納する第１のデータベースと、
前記画像データを、エリア毎に分割した分割画像データを格納する第２のデータベースと、
前記画像データを、前記ディスプレイに出力すると共に、前記分割画像データを、ネットワークを介して送信するよう制御を行うサーバとを有する映像配信サーバ。
【請求項１０】
前記サーバは、前記分割画像を、前記エリアの解像度比に応じて分割する請求項９に記載の映像配信サーバ。
【請求項１１】
所定の画像を分割した分割画像データを受信すると、エリア毎に分割し、エリア別画像データとして格納するデータバッファ部と、
前記エリア別画像データを表示する表示部と、
前記表示部に表示する前記エリア別画像データの選択を受け付けるキー入力部と、
前記選択に対応する前記エリア別画像データを、前記表示部に出力するよう前記データバッファ部を制御する制御部とを有する情報通信端末。
【請求項１２】
前記データバッファ部は、前記分割画像データを、前記エリア別画像データに分割するデータ分割部と、
前記エリア別画像データを格納する、前記エリア毎に対応するバッファ部と、
前記選択に対応する前記バッファ部から、前記エリア別画像データを出力させるセレクタ部とを有する請求項１１に記載の情報通信端末。
【発明の詳細な説明】
【技術分野】
【０００１】
本発明は、映像配信システムから画像データを通信装置にて受信後、この画像データを複数の区分に分割して表示する方法、及びこの表示方法を利用可能な通信装置に関する。
【背景技術】
【０００２】
近年、携帯電話機の受信速度の向上により、様々な状況に応じた画像データを受信し、表示部でリアルタイムに表示することが求められている。
【０００３】
たとえば、街頭に大きなディスプレイを設置し、番組、宣伝が行われているときや、電車内でもドア付近の上部の壁にディスプレイが設置されていて、同様に番組、宣伝の映像が映し出されているときでも、特定の画像データを携帯電話機で受信し、携帯電話機で閲覧する場合である。
【０００４】
すなわち、見通しの悪い場所や、満員電車内などで良く見えない状況が発生した場合の、テレビ受像機能を具備した携帯電話機やＰＤＡを利用して閲覧する方法が特許文献１に開示されている（特許文献１：特開２００５−００６１９３号公報参照）。
【０００５】
まず、予めスタジアム内に設置しているカメラで撮影された画像データを、画像配信サーバに転送する。次に、画像配信サーバから送信された画像データは、サービス利用者がいるスタンドの座席や通路等に設置された小型アンテナから微弱な電磁波として放射される。
【０００６】
この電磁波を、近距離無線通信部などを介して受信した携帯端末は、画像データに復調し、表示部に表示することができる。
【０００７】
また、特許文献２に、受信した画像データを限られた表示部に表示するため、まず、受信する画像のサイズが、画像を表示するために割り振られた携帯用表示装置の表示画面サイズ上の領域より大きいかどうかを判断し、大きい場合には、表示画面サイズに対応するように分割して表示を行う携帯用表示装置がある（特許文献２：特開２００５−０７１３５０号公報参照）。
【０００８】
なお、画面の解像度をサーバに送信する携帯通信端末として、特許文献３がある（特許文献３：特開２００６−３３１１４２号公報参照）。
【０００９】
【特許文献１】特開２００５−００６１９３号公報
【特許文献２】特開２００５−０７１３５０号公報
【特許文献３】特開２００６−３３１１４２号公報
【発明の開示】
【発明が解決しようとする課題】
【００１０】
特許文献１に記載の構成の場合、画像配信サーバから受け取る映像の画像データに対して、携帯通信端末側で、受信した動画を縮小するためのデコード処理等を行うための、専用ICを搭載する必要がある。
【００１１】
またその処理を行った場合に、映像内で表示される文字が読みにくいなど、動画を縮小することによるデメリットが存在する。
【００１２】
このデメリットを解消するために、縮小する処理ではなく、特許文献２に記載の情報通信端末が受信した映像データを分割する処理を行う場合、どの解像度でエリアを分割するのか映像配信サーバ側と調整する必要がある。
【００１３】
さらに、その解像度が判明した後も、受け取った映像をデコードして、エリア毎に判明した解像度でエンコード等を行う処理が必要であり、これによって、情報通信端末に表示するための映像データが作成できる。そのため、これらの処理に要する負荷を考えると、動画データの再現など、リアルタイム性の実現は厳しい。
【００１４】
そこで本発明の目的は、上記問題点に鑑み、備え付けのディスプレイに映像を表示する映像配信サーバにおいて、予め、情報通信端末に対して送信するための画像データを解像度毎に分割して格納しておき、この分割後の画像データを、無線通信を介して情報通信端末に向けて送信し、情報通信端末においても、画像データを分割してバッファに格納してから表示する手段を提供することにある。
【課題を解決するための手段】
【００１５】
本発明の映像配信システムは、ネットワークを介して情報通信端末とデータ通信可能な映像配信サーバと、前記データを受信可能な前記情報通信端末とを含み、
前記映像配信サーバは、２つ以上の異なる映像をそれぞれ所定のエリアに表示するディスプレイと、前記ディスプレイに出力するためのデータである画像データを格納する第1のデータベースと、前記画像データを、前記エリアに表示する画像毎に分割したデータである分割画像データを格納する第２のデータベースとを含み、前記画像データを前記ディスプレイに出力すると共に、前記分割画像データを送信することを特徴とする。
【００１６】
また、本発明の映像配信方法は、異なる映像を表示可能なエリアを２つ以上有するディスプレイに、第１のデータベースに格納した画像データを出力し、前記画像データをエリア毎に分割した分割画像データを、第２のデータベースに格納し、ネットワークを介して、前記分割画像データを情報通信端末に送信し、前記情報通信端末において、前記分割画像データを、対応するエリア毎に、表示部に出力することを特徴とする。
【００１７】
また、本発明の映像配信サーバは、異なる映像を表示可能なエリアを２つ以上有するディスプレイと、前記ディスプレイに出力する画像データを格納する第１のデータベースと、前記画像データを、エリア毎に分割した分割画像データを格納する第２のデータベースと、前記画像データを、前記ディスプレイに出力すると共に、前記分割画像データを、ネットワークを介して送信するよう制御を行うサーバとを有することを特徴とする。
【００１８】
本発明の情報通信端末は、所定の画像を分割した分割画像データを受信すると、エリア毎に分割し、エリア別画像データとして格納するデータバッファ部と、前記エリア別画像データを表示する表示部と、前記表示部に表示する前記エリア別画像データの選択を受け付けるキー入力部と、前記選択に対応する前記エリア別画像データを、前記表示部に出力するよう前記データバッファ部を制御する制御部とを有することを特徴とする。
【発明の効果】
【００１９】
本発明の映像配信システムによれば、映像配信サーバの備え付けのディスプレイで表示している画像データを、情報通信端末において表示できるよう分割して格納しておくことで、無線通信網を介して情報通信端末で受信して表示することが可能となる。さらに、情報通信端末内において、画像データを分割して保持するため、映像の一部のみを表示、または所望する他の一部の映像と容易に切り替えることが可能となる。
【発明を実施するための最良の形態】
【００２０】
本発明の実施の形態について図面を用いて詳細に説明する。
【００２１】
図１は、本発明の実施の形態の、映像配信システムを示すブロック図である。
【００２２】
映像配信システムは、映像配信サーバ３と、映像配信サーバ３よりデータを受け取る情報通信端末（以降、端末と称する）１と、これらの間で、通信可能な網である近距離無線通信網２とからなる。
【００２３】
なお、近距離無線通信網２とは、数十ｍのエリアのＢｌｕｅｔｏｏｔｈ（登録商標）や、数百ｍのエリアの無線ＬＡＮ（Ｗｉ‐Ｆｉ）、ＷｉＭＡＸを指す。
【００２４】
〔映像配信サーバ〕
次に、本発明の実施の形態の映像配信システムで用いる映像配信サーバ３について詳細に説明する。
【００２５】
図２は、本発明の実施の形態における映像配信サーバ３の構成を示すブロック図である。
【００２６】
映像配信サーバ３は、映像の元となる画像データを表示可能なディスプレイ３２と、データベースＡ３３と、データベースＢ３４と、画像データを近距離無線通信網２内に出力するための無線部３５と、これらの制御を行うサーバ３１を有する。
【００２７】
データベースＡ３３は、ディスプレイ３２に表示するディスプレイ表示用の画像データを格納するメモリである。
【００２８】
データベースＢ３４は、無線通信による映像配信のために用いる画像データを格納するメモリである。
【００２９】
無線部３５は、図示しないインターフェース（近距離無線通信用アンテナでもよい）を介して、近距離無線通信網２に向けて送受信通信を行う。
【００３０】
サーバ３１は、まず、映像配信サーバ３内の、データベースＡ３３に保持している画像データを、ディスプレイ３２に出力する。
【００３１】
ディスプレイ３２は、出力された画像データを再生し、映像としてディスプレイ３２に表示する。
【００３２】
なお、ディスプレイ３２は、街角の大型ディスプレイから、電車内の広告用ディスプレイといったさまざまな種類のディスプレイに適用可能とする。
【００３３】
図３は、本発明の実施の形態における映像配信サーバ３のディスプレイ３２で表示されている映像のイメージ図である。
【００３４】
図３に示すように、表示されている映像の内容は、エリア毎に複数種類の情報を含み、たとえば、エリアＡ３６は、全体のエリアの中で中心となるエリアであり、番組等を表示する。エリアＢ３７は、番組に関係する情報を表示するエリアである。
【００３５】
エリアＣ３８は、番組に直接関係しない情報を表示するエリアであり、たとえば、ディスプレイ３２が設置されている地域の天気予報、催し、行事などの地域情報の情報発信用のエリアとする。
【００３６】
エリアＤ３９は、広告用エリアとして、たとえば、スポンサーが提供する広告を表示することが考えられる。
【００３７】
図３に示すように、ディスプレイ３２に表示されているエリアは、４つに分かれているが、これらのエリアは、解像度に応じて区切られているものとする。なお、ここで用いる解像度とはエリアのサイズを表すものであり、画像密度（画素の細かさ）を表すものではない。
【００３８】
ディスプレイ表示用の画像データは、エリアＡ３６からエリアＤ３９までの表示内容を１つの画像データとしたものであり、解像度がＤ４レベル、１２８０×７２０として、データベースＡ３３に格納されている。
【００３９】
一方、データベースＢ３４には、情報通信端末に対応させて表示するための画像データを格納するため、データベースＡ３３に格納されている解像度がＤ４レベルの画像データを、所定の数に分割した分割画像データを格納している。
【００４０】
本発明の実施の形態では、特にデータベースＢ３４に格納される画像データの解像度をＤ３レベル、すなわちＷＶＧＡ（８００ｘ４８０）までとする。
【００４１】
図４は、本発明の実施の形態における映像配信システムのディスプレイの各エリアの解像度比を示したイメージ図である。
【００４２】
図４に示すそれぞれのエリアの解像度は、エリアＡ３６は、解像度として８００×４８０、エリアＢ３７は、８００×２４０、エリアＣ３８は、４８０×４８０、エリアＤ３９は、４８０×２４０とする。
【００４３】
このように、画像データとして示される４つのエリアはそれぞれ、所定の解像度に応じて区切られたものである。これより、サーバ３１は、データベースＡ３３に格納される画像データを、エリア毎の画像データとなるように、所定の解像度比に応じて分割し、分割画像データとする。
【００４４】
その後、サーバ３１は、分割画像データをデータベースＢ３４に格納する。
【００４５】
映像配信サーバ３で映像を再生するときは、サーバ３１は映像データベースＡ３３のＤ４レベルの画像データをディスプレイ３２へ出力し、ディスプレイ３２に映像を表示させる。
【００４６】
一方、サーバ３１は、データベースＢ３４に格納しているそれぞれのエリア毎の分割画像データに、各エリアを示すフラグ情報を追加して無線部３５へ出力する。無線部３５は、これらの画像データを、近距離無線通信網２に向けて送信する。
【００４７】
〔情報通信端末〕
続いてこの画像データを受信して映像として表示を行う端末１について説明する。
【００４８】
図５は、本発明の実施の形態における端末１の構成を示すブロック図である。
【００４９】
図５において、端末１は、アンテナ１０１を介して、無線信号を送受信する無線部Ａ１０２と、一時的な電話帳用データや受信メール等のデータを保持するためのＲＡＭ１０３と、端末１の各種の設定情報、端末のソフトプログラムを格納しているＲＯＭ１０４と、電話番号、及び各設定情報を操作に応じて表示する（ＬＣＤの）表示部１０６と、キー入力を受け付けるキー入力部１０７と、音声を出力するためのスピーカ部１０８と、音声を入力するためのマイク部１０９と、これら各部を制御するマイクロコンピュータを内蔵した制御部（ＣＰＵ）を含む制御部１０５を有する。
【００５０】
また、図１に示す近距離無線通信網２を利用可能な近距離無線通信用アンテナ１１０を介して無線信号を送受信する無線部Ｂ１１１、及び無線部Ｂ１１１から受信した画像データをバッファリングするデータバッファ部１１２を備えている。
【００５１】
なお、端末１とは、通常の携帯電話、ＰＨＳ、ＰＤＡなどであり、表示部１０６として、ＬＣＤを有する端末を示す。
【００５２】
図７は、本発明の実施の形態における端末１のデータバッファ部１１２の構成を示すブロック図である。
【００５３】
また、図６は、端末１の表示部１０６の表示内容を示すイメージ図であり、（ａ）は、特にディスプレイ３２のエリアＡ３６の表示内容を表示したイメージ図であり、（ｂ）は、エリアＡ３６からエリアＤ３９の全てのエリアの表示内容を表示した場合のイメージ図である。
【００５４】
また、本発明の実施の形態の端末１は、複数のエリア毎に表示するための分割画像データを受信した場合、それぞれのエリアに対応させたエリア別画像データを格納するためのバッファ部を複数有する（これらの複数のバッファ部をバッファ部群１２７と称する）。
【００５５】
ここでは、近距離無線通信網２を介して受信する画像データが４分割されているため、それに対応して４つのバッファ部群１２７を有するとする。
【００５６】
この分割されたエリアごとに表示用データを出力するため、制御部１０５は、データバッファ部１１２にて、分割画像データに対して一連の処理を行う。
【００５７】
まず、データ分割部１２１は、制御部１０５より転送された分割画像データがいずれのエリアに対応する画像データであるかをフラグ情報に基づいて判別し、それぞれのエリアに対応するエリア別画像データごとに分割する。分割後、データ分割部１２１は、バッファ部Ａ１２２からバッファ部Ｄ１２５へそれぞれ対応するエリア別画像データを出力する。
【００５８】
セレクタ部１２６は、制御部１０５からの指示に従い、バッファ部Ａ１２２からバッファ部Ｄ１２５のエリア別画像データのいずれかをセレクトして、各バッファ部に格納されたエリア別画像データを表示部１０６へ出力する。
【００５９】
いずれの場合も、制御部１０５からの指示により、セレクタ部１２６が、それぞれのバッファ部から表示部１０６へ出力するエリア別画像データの出力を停止、もしくは許可することにより実行される。
【００６０】
この制御部１０５への指示は主にユーザが所望のエリアの表示を行うために、選択して押下したキー入力部１０７のボタンの種類による。
【００６１】
なお、本発明の実施の形態の映像配信システムでは、画像データを分割するときの解像度比は、ディスプレイ３２で表示されている各エリアの解像度比としたが、エリアの解像度によらず、ユーザが任意で設定することも可能である。
【００６２】
図８は、本発明の実施の形態の端末１のキー入力部１０７の概観図である。
【００６３】
キー入力部１０７は、たとえば、図８に示す、アプリケーション実行などに用いるソフトキー９１、ソフトキー９２、決定ボタンを示すセンターキー９３、メールの送信、通話開始などを開始するための送信キー９４、数字や記号の入力などを行うための数字キー９５、メニュー画面の起動などを行うためのメニューキー９６、スクロール、カーソル移動などに用いる方向キー９７などを含む。
【００６４】
映像配信システム利用時、操作のためのキー割り当てとして、たとえば、キー入力部１０７の数字キー９５に、エリアＡ３６のエリア別画像データは「１」キー、エリアＢ３７のエリア別画像データは「２」キー、エリアＣ３８のエリア別画像データは「３」キー、エリアＤ３９のエリア別画像データは「４」キーというように、画像データの切替を行うための機能を割り当てたとする。
【００６５】
このとき、制御部１０５の制御により、セレクタ部１２６は、全てのバッファ部から、エリア別画像データの出力を許可し、表示部１０６において、図６（ｂ）に示すように、ディスプレイ３２のエリアＡ３６からエリアＤ３９までの画像データを全て表示していたとする。
【００６６】
そこで、ユーザが、たとえば、ディスプレイ３２に表示された番組のうち、エリアＡ３６に表示されている内容のみを視認したい場合、キー入力部１０７を操作して、「１」を押下する。
【００６７】
このとき、映像配信システムを利用下において、数字キー９５のうち、「１」の押下を検出した制御部１０５は、セレクタ部１２６に対し、バッファ部Ａ１２２からのエリア別画像データを出力させ、他のバッファ部（バッファ部Ｂ１２３、バッファ部Ｃ１２４、バッファ部Ｄ１２５）からの出力を停止する。
【００６８】
これにより、図６（ａ）に示すように、端末１は、表示部１０６に、エリアＡ３６の表示内容が表示されることになる。
【００６９】
また、エリアＡ３６で番組情報を視聴中、エリアＣ３８にある情報が気になった場合、ユーザは、キー入力部１０７の「３」キーを押下する。
【００７０】
制御部１０５はこの押下を検知し、セレクタ部１２６に指示を行う。
【００７１】
セレクタ部１２６は、バッファ部Ａ１２２の出力を停止し、代わりにバッファ部Ｃ１２４の出力を許可する。
【００７２】
この制御により、表示部１０６は、バッファ部Ｃ１２４から出力されるエリア別画像データを再生する。
【００７３】
これにより、制御部１０５は、エリアＣ３８に表示されていた表示内容を、表示部１０６に表示することが可能となる。
【００７４】
またユーザが、特にエリアＤ３９の広告内容に興味を示した場合、ユーザはキー入力部１０７を操作して、「４」を押下する。
【００７５】
制御部１０５はこれを検知して、バッファ部Ｄ１２５からのエリア別画像データの出力を許可し、表示部１０６に、エリアＤ３９の表示内容を表示する。
【００７６】
この制御によって、ユーザは、ディスプレイ３２上の全てのエリアにおける映像を、表示部１０６で視認することが可能となる。
【００７７】
このように、制御部１０５は、キー入力部１０７からの入力内容に応じて、セレクタ部１２６に、各バッファ部の表示部への出力を許可、もしくは停止させるよう制御することが可能である。これにより、制御部１０５は、ディスプレイ３２の特定のエリアで表示されている映像のみを、表示部１０６全体で表示させることが可能である。また、入力内容に対応させて、制御部１０５からの制御により、セレクタ部１２６がエリア別画像データを出力中の一方のバッファ部の出力を停止し、他方のバッファ部の出力を許可することも可能である。すなわち、ユーザは、この数字キー９５を押下することで、表示部１０６に表示する内容を、ディスプレイ３２における一方のエリアでの表示内容から、他方のエリアでの表示内容へと簡単に切り替えることが可能となる。
【００７８】
また、ユーザが複数のボタンを押下した場合などには、表示部１０６に複数のエリアを表示することも可能である。
【００７９】
これにより、図６（ｂ）に示すように、ディスプレイ３２で表示されている全てのエリアにおける表示内容を、端末１の表示部１０６に一括して表示することも可能である。
【００８０】
次に本発明の実施の形態の映像配信システムの処理について図７から図１０を用いて説明する。
【００８１】
図９は、映像配信システムにおける映像配信の処理を示すフロー図である。
【００８２】
図１０は、映像配信システムを利用している場所のイメージ図である。
【００８３】
図１０に示すように、本発明の実施の形態の映像配信システムは、電車内の液晶表示部で利用されているとする。
【００８４】
ここで言う液晶表示部９８とはディスプレイ３２を示す。
【００８５】
電車内の乗客であるユーザは、電車内に装着されている映像配信システムによる映像配信内容をディスプレイ３２（以降、ディスプレイの解像度は１２８０×７２０であるとする）にて視聴しているとする。
【００８６】
このとき、映像配信サーバ３は、予め、ディスプレイ３２の解像度に対応して、１２８０×７２０の解像度である画像データを、データベースＡ３３に格納している。
【００８７】
サーバ３１は、データベースＡ３３に格納されている画像データを再生し、ディスプレイ３２に出力する。
【００８８】
これにより、ディスプレイ３２は、出力されたデータベースＡ３３に格納された画像データを表示する。
【００８９】
ここで、サーバ３１は、データベースＡ３３の画像データをディスプレイ３２に出力中、分割、及びフラグ情報を追加したデータベースＢ３４内の分割画像データを、無線部３５に出力している。この出力信号を無線部３５は、図示しないインターフェース（アンテナでもよい）を介して、近距離無線通信網２の通信エリア内（本発明の実施の形態では、通信エリア内とは電車の車両内とする）に向けて送信を行っている。
【００９０】
次に、本発明の実施の形態における画像データ配信システムを利用した場合の処理フローについて説明する。
ディスプレイ３２にて視聴中のユーザは、電車内の混雑が激しくなるなど、ディスプレイ３２での視聴が困難になり、ディスプレイ３２に表示されている画像データを端末１で受信することで視聴したくなったと仮定する。
【００９１】
このとき、ユーザは端末１を操作し、今現在いる場所における近距離無線通信を行うためのアクセスポイントを検索する（図９、Ｓ１０１）。
【００９２】
このとき、端末１において、アクセスポイントを検出できなかった場合（図９、Ｓ１０２のＮＯ）は、再びアクセスポイントの検索を継続する。
【００９３】
端末１が、アクセスポイントを検出できた場合（図９、Ｓ１０２のＹＥＳ）、検出結果を確認したユーザは、端末１を操作して接続処理を行う。この処理により、制御部１０５は、近距離無線通信用アンテナ１１０を用いて、近距離無線通信網２を介して、映像配信サーバ３に接続する（図９、Ｓ１０３）。
【００９４】
接続後、まず映像配信サーバ３は、所定のネゴシエーションを行う。つまり、映像配信サーバ３は、映像配信システムの利用の要求をしてきた端末１が有しているバッファ部の個数や表示部１０６の最大表示可能解像度の情報や、映像配信システムへの加入有無などのスペック情報を要求する。
【００９５】
端末１は、自端末のスペック情報を映像配信サーバ３に送信する（図９、Ｓ１０４）。
【００９６】
このスペック情報を受信した映像配信サーバ３は、端末１の映像配信システムの利用可否を決定する。
【００９７】
映像配信サーバ３の映像配信の一時中止や携帯型通信端末１の表示部１０６のＬＣＤの解像度が小さい場合等、画像データの配信が困難であるとサーバ３１が判断した場合、端末１の利用を拒否し（図９、Ｓ１０５のＹｅｓ）、処理を終了する（Ｓ１１３）。
【００９８】
利用可能とみなされた場合（図９、Ｓ１０５のＹｅｓ）、端末１は、近距離無線通信網２より、近距離無線通信用アンテナ１１０を介して、エリア情報を映像配信サーバ３から入手する（図９、Ｓ１０６）。
【００９９】
そのエリア情報には、エリアＡ３６からエリアＤ３９までの各エリアに対応する分割画像データの有無、また各エリアのコンテンツ情報が保持されている。ユーザはこのエリア情報を取得できた場合（図９、Ｓ１０６のＹｅｓ）、表示部１０６に表示されたエリア情報を視認することで、配信内容を確認することができる。この情報を元に、ユーザが視聴を希望する場合には、端末１を介して映像配信システムの利用を要求し（図９、Ｓ１０７のＮｏ）、映像配信サーバ３は、この要求に応じて分割画像データの送信を開始する（図９、Ｓ１０８）。
【０１００】
エリア情報を取得できなかった場合（図９、Ｓ１０６のＮｏ）、端末１は再び映像配信システムにエリア情報を要求する。
【０１０１】
また、エリア情報を確認後、ユーザが映像配信を希望しなかった場合には、接続をキャンセルし（図９、Ｓ１０７のＹｅｓ）、処理を終了する（図９、Ｓ１１３）。
【０１０２】
これらのネゴシエーションを経て、映像配信サーバ３が、配信可能と判断した場合、端末１に対して分割画像データの送信を開始する（図９、Ｓ１０８）。
【０１０３】
近距離無線通信用アンテナ１１０を介して、分割画像データを受信すると、制御部１０５は、この分割画像データを、データバッファ部１１２に出力する。
【０１０４】
データバッファ部１１２内では、受信した分割画像データから、表示部１０６へ出力するために、分割されたエリアそれぞれに対応するエリア別画像データを作成し、それぞれに対応するバッファ部１２２からバッファ部１２５に格納する。
【０１０５】
ここで、ユーザが、キー入力部１０７でエリアＡ３６のエリアを表示する旨の操作をした場合（図９、Ｓ１０９）、端末１は、表示部１０６に、エリアＡ３６の映像を表示する（図９、Ｓ１１０）。これにより、ユーザはエリア１を視認することが可能となる。
【０１０６】
これにより、ユーザは、表示部１０６に出力されたエリア別画像データによって表示されたエリアごとの配信内容を全て同時に視認することが可能となる。
【０１０７】
また、キー入力部１０７より、エリア変更の旨の入力があると（図９、Ａ１１１のＹｅｓ）、制御部１０５は、セレクタ部１２６に指示を行い、出力させるバッファ部を選択させる（図９、Ｓ１１２）。以降、端末１は、これらを繰り返すことで、映像配信システムによる映像表示を行う（図９、Ｓ１０９からＳ１１２）
このように、本発明の映像配信システムでは、映像配信サーバ３のディスプレイ３２で、複数のエリア毎に異なる映像が同時に表示されているとき、近距離無線通信網２を利用することで、これらの映像の元となる画像データを分割して取得し、特定のエリアのみに対応する映像のみを端末１で表示することが可能となる。
【０１０８】
これにより、ユーザは、好きなエリアの映像を任意に選択して端末１で視認することが可能となる。
【０１０９】
なお、映像配信サーバ３が、近距離無線通信を介して分割画像データを送信するとき、分割画像データには、どのエリアの情報であるかを示すエリア情報を示すフラグを付けて送信した。
【０１１０】
しかし、フラグ情報を要せずに、それぞれのエリア毎の分割画像データを、近距離無線通信用アンテナ１１０よりパラレル送信を行い、これらの分割画像データを受信した端末１で、そのまま、各バッファ部に格納することも可能である。
【０１１１】
これにより、映像配信サーバ３が、分割画像データにフラグを付加する処理を省くことができ、サーバ３１に対する負担を軽減することが可能となる。
【図面の簡単な説明】
【０１１２】
【図１】本発明の実施の形態における映像配信システムの構成を示すイメージ図である。
【図２】本発明の実施の形態における映像配信サーバの電気的構成を示すブロック図である。
【図３】本発明の実施の形態における映像配信サーバのディスプレイで表示されている映像のイメージ図である。
【図４】本発明の実施の形態における映像配信システムのディスプレイの各エリアの解像度比を示したイメージ図である。
【図５】本発明の実施の形態における情報通信端末の構成を示すブロック図である。
【図６】本発明の実施の形態の情報通信端末の表示部の表示内容を示すイメージ図であり、（ａ）は、特にディスプレイ３２のエリアＡ３６の表示内容を表示したイメージ図であり、（ｂ）は、エリアＡ３６からエリアＤ３９の全てのエリアの表示内容を表示した場合のイメージ図である。
【図７】本発明の実施の形態における端末１のデータバッファ部１１２の電気的構成を示すブロック図である。
【図８】本発明の実施の形態の情報通信端末におけるキー入力部の外観図である。
【図９】本発明の実施の形態の映像配信システムにおける映像配信の処理を示すフロー図である。
【図１０】本発明の実施の形態の映像配信システムを利用している場所のイメージ図である。
【符号の説明】
【０１１３】
１      端末
１０１  アンテナ
１０２  無線部Ａ
１０３  ＲＡＭ
１０４  ＲＯＭ
１０５  制御部
１０６  表示部
１０７  キー入力部
１０８  スピーカ部
１０９  マイク部
１１０  近距離無線通信用アンテナ
１１１  無線部Ｂ
１１２  データバッファ部
１２１  データ分割部
１２２  バッファ部Ａ
１２３  バッファ部Ｂ
１２４  バッファ部Ｃ
１２５  バッファ部Ｄ
１２６  セレクタ部
１２７  バッファ部群
２      近距離無線通信網
３      映像配信サーバ
３１    サーバ
３２    ディスプレイ
３３    データベースA
３４    データベースＢ
３５    無線部
３６    エリアA
３７    エリアB
３８    エリアC
３９    エリアD
９１    ソフトキー
９２    ソフトキー
９３    センターキー
９４    送信キー
９５    数字キー
９６    メニューキー
９７    方向キー
９８    液晶表示部
【図１】
2009164994.tif 000003
【図２】
2009164994.tif 000004
【図３】
2009164994.tif 000005
【図４】
2009164994.tif 000006
【図５】
2009164994.tif 000007
【図６】
2009164994.tif 000008
【図７】
2009164994.tif 000009
【図８】
2009164994.tif 000010
【図９】
2009164994.tif 000011
【図１０】
2009164994.tif 000012